(57)【要約】【課題】偽造防止効果の高い情報隠蔽カードを提供する。【解決手段】カード基材１上の所定の領域に形成された情報印字層２と、情報印字層２を覆い隠す隠蔽層４と、隠蔽層４を剥離しやすくするために、隠蔽層４の下地として情報印字層２上に形成された剥離層３と、剥離層３と剥離層３周囲のカード基材１とに連続して重なる地紋パターン、または万線パターンが印刷された偽造防止層５とを有して構成され、剥離層３の面積を隠蔽層４の面積よりも小さく形成したことにより、下地に剥離層３がない領域の隠蔽層４及び偽造防止層５は剥離されずに残ることとなる。従って、情報隠蔽カードを偽造しようとしても、残存した偽造防止層５と再形成した偽造防止層５が不連続になり、偽造カードであると容易に認識することができる。【選択図】図１
2007203738.tif 000002
【特許請求の範囲】
【請求項１】
基材上の所定の領域に形成された情報印字層と、
前記情報印字層を覆い隠す隠蔽層と、
前記隠蔽層を剥離しやすくするために、該隠蔽層の下地として、前記情報印字層上に形成された剥離層と、
前記隠蔽層上と、少なくとも該隠蔽層周囲の基材上とに連続して形成された偽造防止層と、
を有することを特徴とする情報隠蔽カード。
【請求項２】
前記偽造防止層は、地紋パターンあるいは万線パターンを印刷してなる印刷層であることを特徴とする請求項１記載の情報隠蔽カード。
【請求項３】
前記偽造防止層は、ホログラム箔層であることを特徴とする請求項１記載の情報隠蔽カード。
【請求項４】
前記剥離層の面積は、前記隠蔽層の面積と同じであるか、または該隠蔽層の面積よりも小さく形成されていることを特徴とする請求項１から３の何れか１項に記載の情報隠蔽カード。
【請求項５】
前記剥離層は、所定のパターンに形成されていることを特徴とする請求項１から３の何れか１項に記載の情報隠蔽カード。
【発明の詳細な説明】
【技術分野】
【０００１】
本発明は高い偽造防止効果を有する情報隠蔽カードに関する。
【背景技術】
【０００２】
従来より、図１０に示されるようにカード基材１１上に隠蔽すべき情報を印字した情報印字層１２と、剥離層１３とを順次形成し、さらにこの剥離層１３上にアルミペースト等からなる隠蔽層１４を形成して、情報印字層１２に印字した文字情報を隠蔽した情報隠蔽カードが知られている。このカードは、隠蔽層１４を削ることで、情報印字層１２に印字した文字情報を認識することができる。
【特許文献１】実開平３−１０３７７０号公報
【発明の開示】
【発明が解決しようとする課題】
【０００３】
しかしながら、上記構成の情報隠蔽カードは、剥離層１３を剥離して情報を得た後に、再度隠蔽層１４を形成することにより、情報漏洩やカードの偽造が可能であるといった問題を有していた。
【０００４】
本発明は上記問題点に鑑みてなされたものであり、偽造を容易に検出することができる情報隠蔽カードを提供することを目的とする。
【課題を解決するための手段】
【０００５】
かかる目的を達成するために、本発明は、以下の特徴を有することとする。
【０００６】
本発明にかかる情報隠蔽カードは、
基材上の所定の領域に形成された情報印字層と、
前記情報印字層を覆い隠す隠蔽層と、
前記隠蔽層を剥離しやすくするために、該隠蔽層の下地として、前記情報印字層上に形成された剥離層と、
前記隠蔽層上と、少なくとも該隠蔽層周囲の基材上とに連続して形成された偽造防止層と、
を有することを特徴とする。
【０００７】
また、本発明にかかる情報隠蔽カードにおいて、
前記偽造防止層は、地紋パターンあるいは万線パターンを印刷してなる印刷層であることを特徴とする。
【０００８】
また、本発明にかかる情報隠蔽カードにおいて、
前記偽造防止層は、ホログラム箔層であることを特徴とする。
【０００９】
また、本発明にかかる情報隠蔽カードにおいて、
前記剥離層の面積は、前記隠蔽層の面積と同じであるか、または該隠蔽層の面積よりも小さく形成されていることを特徴とする。
【００１０】
また、本発明にかかる情報隠蔽カードにおいて、
前記剥離層は、所定のパターンに形成されていることを特徴とする。
【発明の効果】
【００１１】
本発明によれば、偽造を容易に検出することが可能となる。
【発明を実施するための最良の形態】
【００１２】
以下、添付図面を参照して本発明の情報隠蔽カードの実施の形態を詳細に説明する。図１〜図９を参照すると本発明の情報隠蔽カードの好適な実施の形態が示されている。
【００１３】
まず、図１を参照しながら本発明の情報隠蔽カードの第１の実施形態について説明する。図１に示されるように第１の実施形態の情報隠蔽カードは、カード基材１上に情報印字層２と、剥離層３と、隠蔽層４と、偽造防止層５とが設けられている。
【００１４】
カード基材１の材質は加工性、印刷特性に優れたものが好ましい。紙材やポリ塩化ビニル、ポリエチレンテレフタラート、ポリスチロール樹脂、アクリロニトリル、およびブタジエンとスチレンの共重合体からなる樹脂材料などを用いる。なお、紙材には、上質紙、コート紙、樹脂含浸紙等が用いられる。
【００１５】
カード基材１上に直接形成される情報印字層２は、例えば、情報隠蔽カードをプリペイドカードに適用する場合に、使用者毎に割り当てられた暗証番号等を印刷する層である。なお、情報印字層２は、カード基材１上の任意の位置に、任意の大きさで設けてよい。
【００１６】
隠蔽層４は、情報印字層２に印刷された情報を隠蔽するための層である。また、隠蔽層４の下地として設けられる剥離層３は、情報印字層２上に形成される隠蔽層４を剥離しやすくするために設けられた層である。
【００１７】
剥離層３は、カード基材１上に形成された情報印字層２の上面に、情報印字層２の面積と略同一の面積で設けられている。また、隠蔽層４は、剥離層３上と剥離層３周囲のカード基材１上とに連続するように形成している。このように剥離層３より隠蔽層４の面積を大きくした構成とすることにより、剥離層３を下地に設けた領域の隠蔽層４は容易に剥離することができるが、カード基材１上に直接形成した領域の隠蔽層４は剥離することが困難となる。
【００１８】
下地に形成する剥離層３と隠蔽層４との組み合わせとしては、例えば、隠蔽層４をポリエステル系樹脂、アクリル系樹脂、塩化ビニル系樹脂などの汎用樹脂と、アルミペーストと、キシレン、セロソルブアセテート、イソホロンなどの溶剤とを混合したシルバーインキで形成する場合、剥離層３をシリコン系樹脂と、キシレン、セロソルブ、イソホロンなどの溶剤と、硬化剤とを混合したインキを用いて形成することにより、隠蔽層４が剥離しやすくなる。なお、この隠蔽層４及び剥離層３は、上述したインキを用いてシルクスクリーン印刷により形成される。
【００１９】
偽造防止層５は、情報隠蔽カードの偽造を防止するために隠蔽層４上に微細パターンを印刷した層である。この微細パターンは、図２のＡに示されるような地紋パターン、または図２のＢに示されるような万線パターンなどが適用される。このような微細パターンを、図１に示されるように隠蔽層４上と隠蔽層４周囲のカード基材１上とに連続するように形成する。または、隠蔽層４上に重なり、カード基材１の全面を覆うように設けてもよいし、図２に示されるように隠蔽層４と隠蔽層４周囲のカード基材１上とに連続し、隠蔽層４を部分的に覆うように設けてもよい。なお、偽造防止層５を隠蔽層４上と隠蔽層４周囲のカード基材１上とに連続し、隠蔽層４を部分的に覆うように設ける場合には、偽造防止層５を剥離しなければ、情報印字層２に印字された情報の全てを見ることができないように設ける必要がある。
【００２０】
上記構成の情報隠蔽カードを購入した購入者は、情報印字層２に印刷された暗証番号等の文字情報を視認するために隠蔽層４及び偽造防止層５を削るなどの方法により剥離する。この時、図３または図４に示されるように下地に剥離層３を設けた領域の隠蔽層４と偽造防止層５だけが剥離され、カード基材１上に直接形成した領域の隠蔽層４と偽造防止層５は剥離できずに残ることとなる。
【００２１】
従来の情報隠蔽カードは、図１０に示されるように情報印字層１２上に情報印字層１２の面積と略同一、もしくは情報印字層１２の面積よりも小さい面積で剥離層１３を設け、さらに、その上面に隠蔽層１４を設けて情報を隠蔽しただけの構成であったため、隠蔽層１４を剥離して情報印字層１２に印字された文字情報を視認してから隠蔽層１４を再形成することで、何の痕跡も残さずに容易に情報隠蔽カードを偽造することが可能であった。
【００２２】
そこで、本実施形態は、カードの偽造防止対策として、図１に示されるように隠蔽層４を剥離層３と剥離層３周囲のカード基材１とに連続して形成している。また、隠蔽層４上に偽造防止層５を、隠蔽層４と少なくとも隠蔽層４周囲のカード基材１上とに連続して形成している。また、この偽造防止層５に図２に示された偽造防止効果の高い地紋パターン、または万線パターンからなる微細パターンを採用している。
【００２３】
上述した偽造防止対策を施すことにより、下地に剥離層３を設けた領域の隠蔽層４と偽造防止層５は容易に剥離することができるが、カード基材１上に直接形成した領域の隠蔽層４は容易には剥離することができず、無理に剥離しようとすると、カード基材１表面が破損される。従って、例えば、情報隠蔽カードの偽造を図ろうとする者が、剥離層３を下地に設けた領域の隠蔽層４及び偽造防止層５と、カード基材１上に直接形成した隠蔽層４及び偽造防止層５を剥離して、偽造カードを製造しようとしても、カード基材１上に直接形成した隠蔽層４と偽造防止層５は、下地に剥離層３がないので、図４に示されるようにカード基材１上に直接形成した領域の隠蔽層４と偽造防止層５とが部分的に残ることとなる。このような状態からカード基材１上に隠蔽層４と偽造防止層５とを再形成しても、剥離部分と一致する様に再形成することは困難である。
【００２４】
また、偽造防止層５に図２に示された地紋パターン、または万線パターンからなる微細パターンを採用することにより、例えば、偽造カードを偽造しようとしても、残存する偽造防止層５の微細パターンと一致する微細パターンを再形成することは非常に困難なこととなる。従って、図６に示されるように偽造防止層５の微細パターンにずれが生じる。
【００２５】
さらに、図５に示されるように再形成した隠蔽層４と偽造防止層５が剥離部分の面積よりも大きい場合には、残存している隠蔽層４と偽造防止層５とに重なり、凹凸ができてしまう。また、剥離された部分の面積より小さく形成すると再形成部分と残存部分とが不連続になる。
【００２６】
このように本実施形態は、隠蔽層４を剥離層３と剥離層３周囲のカード基材１とに連続して形成し、また、偽造防止層５を地紋パターン、または万線パターンからなる微細パターンを印刷して形成することにより、残った隠蔽層４と偽造防止層５によりカードの表面に凹凸ができる、再形成部分と残存部分との間が不連続になる、微細パターンが一致しないなど偽造カードであると識別することができる点が明瞭になる。従って、偽造カードであるか否かの判別を容易に行うことができる。
【００２７】
次に上述した第１の実施形態の情報隠蔽カードの変形例について説明する。
【００２８】
この変形例では、上述した第１の実施形態で採用した微細パターンからなる偽造防止層５に変えて、ホログラム箔からなる偽造防止層５を設けている。このホログラム箔からなる偽造防止層５を、隠蔽層４上と隠蔽層４周囲のカード基材１上とに連続するように形成する。または、隠蔽層４上に重なり、カード基材１の全面を覆うように設けてもよいし、図２に示されるように隠蔽層４と隠蔽層４周囲のカード基材１上とに連続し、隠蔽層４を部分的に覆うように設けてもよい。なお、偽造防止層５を隠蔽層４上と隠蔽層４周囲のカード基材１上とに連続し、隠蔽層４を部分的に覆うように設ける場合には、偽造防止層５を剥離しなければ、情報印字層２に印字された情報の全て見ることができないように設ける必要がある。
【００２９】
上記構成の情報隠蔽カードを購入した購入者は、情報印字層２に印字された文字情報を視認するためには、隠蔽層４と一緒にホログラム箔からなる偽造防止層５を剥離しなければならない。一度ホログラム箔を剥離してしまうと、ホログラム箔の入手は困難であるので、カードを偽造することができなくなる。
【００３０】
また、ホログラム箔を入手することができたとしても、第１の実施形態にて説明したように、残っている部分と一致するように隠蔽層４及び偽造防止層５を再形成するのは困難である。従って、例えカードが偽造されたとしても、容易に偽造カードであると判断することができる。
【００３１】
次に図７を参照しながら本発明の情報隠蔽カードの第２の実施形態について説明する。図７に示されるように第２の実施形態の情報隠蔽カードもカード基材１上に、情報印字層２と、剥離層３と、隠蔽層４と、偽造防止層５とが設けられている。
【００３２】
この第２の実施形態は、図７に示されるように情報印字層２の情報に重なり合わない領域に、剥離剤を塗布する箇所と、塗布しない箇所とを設けて、剥離剤を塗布しなかった箇所には、隠蔽層４を直接カード基材１上に形成している。
【００３３】
上述した偽造防止対策を施すことにより、剥離層３周囲のカード基材１上に形成した隠蔽層４に加えて、図８に示されるように情報印字層２上に形成した隠蔽層４にも剥がすことができない領域ができる。このように隠蔽層４と偽造防止層５とが複雑に残存した状態からカード基材１上に隠蔽層４と偽造防止層５とを再形成しても、剥離部分と一致する様に再形成することはさらに困難となり、図９に示されるように再形成した隠蔽層４と偽造防止層５が剥離部分の面積より大きい場合、残存している隠蔽層４と偽造防止層５とに重なり、凹凸ができてしまう。また、剥離された部分の面積より小さく形成すると再形成部分と残存部分とが不連続になる。
【００３４】
また、露出した情報印字層２の周囲を囲むすべての微細パターンに合致する微細パターンを形成しなければならず、再形成した偽造防止層５の微細パターンと、残っている偽造防止層５の微細パターンとを一致させることは非常に困難となる。従って、偽造したカードであるか否かの判断を容易につけることができる。
【００３５】
このように剥離層３を情報印字層２の上面全面に形成するのではなく、情報印字層２の情報が印字された領域以外の領域では、剥離層３と隠蔽層４を分けて形成することにより、情報隠蔽カードの偽造防止効果をさらに高めることができる。
【００３６】
また、第２の実施形態の変化例として、微細パターンからなる偽造防止層５に代えてホログラム箔からなる偽造防止層５を隠蔽層４上に設けてもよい。ホログラム箔の入手は困難であるので、カードの偽造を防止することができる。
【００３７】
次に、上述した実施形態の製造手順について説明する。所定のデザイン等印刷が施されたカード基材１の所定の位置に隠蔽される情報を印字する。次に、情報を印字した情報印字層２上に、情報印字層２の面積と略同一の面積の剥離層３をシルクスクリーン印刷にて形成する。次に、剥離層３上と剥離層３周囲のカード基材１上とに連続する隠蔽層４をシルクスクリーン印刷にて形成する。その後、微細パターンからなる偽造防止層５を隠蔽層４上と少なくとも隠蔽層４周囲のカード基材１上とに連続するようにシルクスクリーン印刷にて形成する。または、ホログラム箔からなる偽造防止層５を隠蔽層４上と少なくとも隠蔽層４周囲のカード基材１上とに連続するように転写して形成する。
【００３８】
次に、本発明の具体例を示す。上述した製造工程に従って、以下に示すカード基材及びインキを用いて情報隠蔽カードを製造した。
【００３９】
実施例１
〔カード基材〕
東レ株式会社製、商品名 Ｅ−２２ ポリエステルフィルム
〔剥離性インキ〕（シルク印刷）
帝国インキ株式会社製、商品名 ２０００メジウム
〔シルバーインキ〕（シルク印刷）
帝国インキ株式会社製、商品名 ＲＶＢ−４８４ シルバー
〔万線・地紋インキ〕（シルク印刷）
帝国インキ株式会社製、商品名 ＲＶＢ−７０９０ 赤
【００４０】
実施例２
〔カード基材〕
東レ株式会社製、商品名 Ｅ−２２ ポリエステルフィルム
〔剥離性インキ〕（シルク印刷）
帝国インキ株式会社製、商品名 ２０００メジウム
〔シルバーインキ〕（シルク印刷）
帝国インキ株式会社製、商品名 ＲＶＢ−４８４ シルバー
〔ホログラム箔〕熱転写式ホログラム
【００４１】
なお、上述した実施形態は、本発明の好適な実施の形態である。但しこれに限定されるものではなく、本発明の要旨を逸脱しない範囲内において種々変形実施が可能である。
【００４２】
以上の説明より明らかなように本発明の情報隠蔽カードは、カード基材１上の所定の領域に形成された情報印字層２と、情報印字層２を覆い隠す隠蔽層４と、隠蔽層４を剥離しやすくするために、隠蔽層４の下地として情報印字層２上に形成された剥離層３と、隠蔽層４上と、少なくとも隠蔽層４周囲の基材１上とに連続して形成された偽造防止層５とを有して構成され、偽造防止層５を地紋パターンあるいは万線パターンを印刷してなる印刷層としたことにより、情報印字層２に印刷された情報を視認してから、再度この領域に隠蔽層４と偽造防止層５を形成して情報隠蔽カードを偽造しようとしても、再形成した偽造防止層５の地紋パターンまたは万線パターンと、情報印字層２の周囲に剥離できずに残された偽造防止層５の地紋パターンあるいは万線パターンとにずれが生じる。従って、偽造カードであるか否かの判別を容易に行うことができる。
【００４３】
また、偽造防止層５をホログラム箔層とした場合、情報印字層２に印字された情報を視認するために一度ホログラム箔層を剥離すると、ホログラム箔の入手は困難であるので、情報隠蔽カードの偽造を防止することができる。
【００４４】
また、剥離層３の面積を、隠蔽層４の面積と同じであるか、またはそれより小さく形成することにより、剥離層３を下地に設けた領域の隠蔽層４及び偽造防止層５は容易に剥離することができるが、基材１上に直接形成した領域の隠蔽層４及び偽造防止層５は無理に剥離しようとしても剥離することが困難となる。従って、隠蔽層４及び偽造防止層５を再形成して情報隠蔽カードを偽造しようとしても、残った隠蔽層４と偽造防止層５によりカードの表面に凹凸ができる、再形成部分と残存部分との間が不連続になる、微細パターンが一致しないなど偽造カードであると識別することができる点が明瞭になる。従って、偽造カードであるか否かの判別を容易に行うことができる。
【００４５】
また、剥離層３を所定のパターンに形成することにより、情報印字層２上に形成された隠蔽層４に剥離しやすい領域と剥離できない領域とができる。従って、情報印字層２に印字された情報を視認するために隠蔽層４と偽造防止層５を剥離すると、隠蔽層４と偽造防止層５とが複雑に残ることとなる。従って、この状態から情報隠蔽カードを偽造しようとしても、再形成した偽造防止層５の微細パターンと、複雑に残った偽造防止層５の微細パターンとにずれが生じる、残った隠蔽層４と偽造防止層５によりカードの表面に凹凸ができるなど偽造カードであると識別することができる点が明瞭になる。従って、偽造カードであるか否かの判別を容易に行うことができる。
【図面の簡単な説明】
【００４６】
【図１】本発明の情報隠蔽カードの第１の実施形態の構成を表す断面図である。
【図２】偽造防止層に印刷される微細パターンの例を表す図である。
【図３】情報印字層上に形成した隠蔽層及び偽造防止層を剥離した状態を表す図である。
【図４】情報印字層上に形成した隠蔽層及び偽造防止層を剥離した状態を表す断面図である。
【図５】偽造した情報隠蔽カードに表れる特徴を表す図である。
【図６】偽造した情報隠蔽カードに表れる特徴を表す図である。
【図７】本発明の情報隠蔽カードの第２の実施形態の構成を表す断面図である。
【図８】情報印字層上に形成した隠蔽層及び偽造防止層を剥離した状態を表す図である。
【図９】偽造した情報隠蔽カードに表れる特徴を表す図である。
【図１０】従来の情報隠蔽カードの構成を表す断面図である。
【符号の説明】
【００４７】
１    カード基材
２    情報印字層
３    剥離層
４    隠蔽層
５    偽造防止層
【図１】
2007203738.tif 000003
【図２】
2007203738.tif 000004
【図３】
2007203738.tif 000005
【図４】
2007203738.tif 000006
【図５】
2007203738.tif 000007
【図６】
2007203738.tif 000008
【図７】
2007203738.tif 000009
【図８】
2007203738.tif 000010
【図９】
2007203738.tif 000011
【図１０】
2007203738.tif 000012